(57)【要約】【課題】  設計簡単、合理であり、便利に製造でき、効果的に軸電流を低くし、電食を少なくし、ボール軸受の耐用期間を長くし、モータの故障と騒音を削減する。【解決手段】  フロントエンドカバー、リアエンドカバー、プラスチックパッキン固定子パッケージ、回転子パッケージ、前軸受及び後軸受を含み、前記のプラスチックパッキン固定子パッケージが固定子コア、固定子巻線及びプラスチックパッキン・シェルを含み、プラスチックパッキン固定子パッケージの中央にキャビティが形成し、フロントエンドカバーが絶縁プラスチック製であり、フロントエンドカバーがプラスチックパッキン・シェルの一端に嵌めつけられ、フロントエンドカバーの前軸受室に前軸受が取り付けられ、リアエンドカバーが金属製であり、リアエンドカバーがプラスチックパッキン・シェルの他端に取り付けられ、リアエンドカバー内の後軸受室の内壁面に絶縁層が敷かられ、後軸受が後軸受室に取り付けられ、絶縁層が後軸受とリアエンドカバーを隔離して絶縁させ、回転子パッケージがキャビティに設置され、回転子パッケージ上の回転軸が前軸受及び後軸受に取り付けられ、支持される直流プラスチックパッキン・モータの構成。【選択図】図６
2016507210.tif 000002
【特許請求の範囲】
【請求項１】
フロントエンドカバー、リアエンドカバー、プラスチックパッキン固定子パッケージ、回転子パッケージ、前軸受及び後軸受を含み、
前記のプラスチックパッキン固定子パッケージが固定子コア、固定子巻線及びプラスチックパッキン・シェルを含み、プラスチックパッキン固定子パッケージの中央にキャビティが形成し、
フロントエンドカバーが非磁性材料製であり、フロントエンドカバーがプラスチックパッキン・シェルの一端に嵌めつけられ、
フロントエンドカバーの前軸受室に前軸受が取り付けられ、
リアエンドカバーが金属製であり、
リアエンドカバーがプラスチックパッキン・シェルの他端に取り付けられ、 リアエンドカバー内の後軸受室の内壁面に絶縁層が敷かられ、
後軸受が後軸受室に取り付けられ、
絶縁層が後軸受とリアエンドカバーを隔離して絶縁させ、
回転子パッケージがキャビティに設置され、回転子パッケージ上の回転軸が前軸受及び後軸受に取り付けられ、支持されることを特徴とする直流プラスチックパッキン・モータの構成。
【請求項２】
リアエンドカバーがSPCCスチールプレス部品又はキャストアルミニウム部品であることを特徴とする請求項1に記載の直流プラスチックパッキン・モータの構成。
【請求項３】
前記の絶縁層が高強度のプラスチック製のものであることを特徴とする請求項1又は2に記載の直流プラスチックパッキン・モータの構成。
【請求項４】
フロントエンドカバーがプラスチックパッキン・シェルと注射成形で一体となることを特徴とする請求項3に記載の直流プラスチックパッキン・モータの構成。
【請求項５】
前記の回転子パッケージが永久磁石であり、外コア、内コア及び回転軸を含み、回転軸が内コアに取り付けられ、外コアと内コアが絶縁緩衝ベルトに連結させられ、永久磁石が外コアに取り付けられることを特徴とする請求項4に記載の直流プラスチックパッキン・モータの構成。
【請求項６】
フロントエンドカバーがプラスチックパッキン・シェルに包まれたことを特徴とする請求項4に記載の直流プラスチックパッキン・モータの構成。
【請求項７】
フロントエンドカバーが絶縁プラスチック製又はPPSプラスチック製であることを特徴とする請求項1又は2に記載の直流プラスチックパッキン・モータの構成。
【発明の詳細な説明】
【技術分野】
【０００１】
本発明は直流プラスチックパッキン・モータの構成に関する。
【背景技術】
【０００２】
従来、空調用プラスチックパッキン直流モータは耐用期間が短く、主な故障がボール軸受の電食に集まり、主な表現として次に挙げられる。1）プラスチックパッキン直流モータがPWM信号で制御られ、電圧高速で切り替え、軸受の内外リングの間に軸電圧が発生するので、軸受の潤滑油に絶縁破壊が発生し、軸電流を引き起こすので、軸受の内・外リング波状の摩耗が発生し、異音につながる。2）電食の原因が電流放電にあり、直流プラスチックパッキン・モータエンドカバーと固定子コアとの間に絶縁材料があり、完全に絶縁される。高周波変調電圧が固定子の巻線を通過する場合、連成効果により金属エンドカバーの間に電圧差が形成し、電流が回転軸、軸受に応じるエンドカバーを通じて回路を構成し、電流がボールと軸受の内・外リングの間でオイルフィルムを破壊して放電して高温が発生し、軸受の局部に溶融して斑点やピットが出てきて、摩耗の速度を早くし、騒音が発生し、耐用期間が短くなる。
【発明の概要】
【発明が解決しようとする課題】
【０００３】
本発明は目的が直流プラスチックパッキン・モータの構成を提供することにある。設計が簡単、合理であり、便利に製造でき、効果的に軸電流を低くし、電食を少なくし、ボール軸受の耐用期間を長くし、モータの故障と騒音を削減することができる。
【課題を解決するための手段】
【０００４】
本発明は、フロントエンドカバー、リアエンドカバー、プラスチックパッキン固定子パッケージ、回転子パッケージ、前軸受及び後軸受を含み、前記のプラスチックパッキン固定子パッケージが固定子コア、固定子巻線及びプラスチックパッキン・シェルを含み、プラスチックパッキン固定子パッケージの中央にキャビティが形成し、フロントエンドカバーが非磁性材料製であり、フロントエンドカバーがプラスチックパッキン・シェルの一端に嵌めつけられ、 フロントエンドカバーの前軸受室に前軸受が取り付けられ、 リアエンドカバーが金属製であり、リアエンドカバーがプラスチックパッキン・シェルの他端に取り付けられ、 リアエンドカバー内の後軸受室の内壁面に絶縁層が敷かられ、後軸受が後軸受室に取り付けられ、絶縁層が後軸受とリアエンドカバーを隔離して絶縁させ、回転子パッケージがキャビティに設置され、回転子パッケージ上の回転軸が前軸受及び後軸受に取り付けられ、支持されることを特徴とする直流プラスチックパッキン・モータの構成である。
【０００５】
前記のリアエンドカバーがSPCCスチールプレス部品又はキャストアルミニウム部品である。
【０００６】
前記の絶縁層が高強度のプラスチック製である。
【０００７】
前記のフロントエンドカバーがプラスチックパッキン・シェルと注射成形で一体となり、フロントエンドカバーがプラスチックパッキン・シェルに包まれる。
【０００８】
前記の回転子パッケージが永久磁石であり、外コア、内コア及び回転軸を含み、回転軸が内コアに取り付けられ、外コアと内コアが絶縁緩衝ベルトに連結させられ、永久磁石が外コアに取り付けられる。
【０００９】
前記のフロントエンドカバーが絶縁プラスチック素材又はPPSプラスチック製である。
【発明の効果】
【００１０】
従来の技術により、本発明は次の効果がある。
【００１１】
1）フロントエンドカバーは絶縁プラスチックなどの非磁性材料製であり、前軸受と絶縁し、リアエンドカバーは金属製であり、加工精度及び前後軸受の同心度が確保され、 リアエンドカバー内の後軸受室の内壁面に絶縁層が敷かられ、後軸受が後軸受室に取り付けられ、絶縁層が後軸受とリアエンドカバーを隔離して絶縁させるので、連成効果を低くし、フロントエンドカバーと前軸受、リアエンドカバーと後軸受の電流通路を切断できる。この設計は簡単、合理であり、便利に製造でき、効果的に軸電流を低くし、電食を少なくし、ボール軸受の耐用期間を長くし、モータの故障と騒音を削減することができる。2）回転子パッケージが永久磁石であり、外コア、内コア及び回転軸を含み、回転軸が内コアに取り付けられ、外コアと内コアが絶縁緩衝ベルトに連結させられ、永久磁石が外コアに取り付けられるので、効果的に回転子パッケージによる軸電流や電食を削減できる。3）リアエンドカバー内の後軸受室の内壁面に絶縁層が敷かられ、絶縁層が高強度のプラスチック製であり、リアエンドカバーがSPCCスチールプレス部品又はキャストアルミニウム部品であるので、部品の製造精度、前軸受及び後軸受の同心度が保証され、構成簡単であり、便利に製造できる。4）前記のフロントエンドカバーがプラスチックパッキン・シェルと注射成形で一体となり、フロントエンドカバーがプラスチックパッキン・シェルに包まれたので、フロントエンドカバーの構成強度が向上する。
【図面の簡単な説明】
【００１２】
【図１】本発明の立体図
【図２】本発明の分解図1
【図３】本発明の分解図2
【図４】本発明の正面図
【図５】図4のA-A断面図
【図６】本発明のプラスチックパッキン・シェルの裏の構成原理図
【発明を実施するための形態】
【００１３】
次に、具体的な実施例と図により本発明について詳細に説明する。
【００１４】
図1〜6の通りに、一種直流プラスチックパッキン・モータの構成、フロントエンドカバー3、リアエンドカバー4、プラスチックパッキン固定子パッケージ1、回転子パッケージ2、前軸受5及び後軸受6を含み、前記のプラスチックパッキン固定子パッケージ1が固定子コア12、固定子巻線13及びプラスチックパッキン・シェル11を含み、プラスチックパッキン固定子パッケージの中心1にキャビティ14が形成し、フロントエンドカバー3が非磁性材料製であり、絶縁プラスチック製でも塑料PPS製でもよく、フロントエンドカバー3がプラスチックパッキン・シェル11の一端に嵌めつけられ、フロントエンドカバー3の前軸受室31に前軸受5が取り付けられ、 リアエンドカバー4が金属製であり、リアエンドカバー4がプラスチックパッキン・シェル11の他端に取り付けられ、リアエンドカバー4内の後軸受室41の内壁面に絶縁層42が敷かられ、後軸受6が後軸受室41に取り付けられ、絶縁層42が後軸受6とリアエンドカバー4を隔離して絶縁させ、回転子パッケージ2がキャビティ14に設置され、回転子パッケージ2上の回転軸21が前軸受5及び後軸受6に取り付けられ、支持され、リアエンドカバー4がSPCCスチールプレス部品又はキャストアルミニウム部品である。前記の絶縁層42は高強度のプラスチック製であり、フロントエンドカバー3はプラスチックパッキン・シェル11と注射成形で一体となり、プラスチックパッキン・シェル11はフロントエンドカバー3を包む。前記の回転子パッケージ2は永久磁石22、外コア24、内コア23及び回転軸21を含む。回転軸21は内コア23に取り付けられ、外コア24と内コア23は絶縁緩衝ベルト25により連結され、永久磁石22は外コア24に取り付けられる。
【００１５】
本発明の原理として、フロントエンドカバー3が絶縁プラスチック製であり、フロントエンドカバー3が前軸受5と絶縁し、リアエンドカバー4が金属製であり、加工精度及び前後軸受の同心度が確保され、リアエンドカバー4内の後軸受室41の内壁面に絶縁層42が敷かられ、後軸受6が後軸受室41に取り付けられ、絶縁層42が後軸受6とリアエンドカバー4を隔離して絶縁させるので、連成効果を低くし、フロントエンドカバーと前軸受、リアエンドカバーと後軸受の電流通路を切断できる。この設計は簡単、合理であり、便利に製造でき、効果的に軸電流を低くし、電食を少なくし、ボール軸受の耐用期間を長くし、モータの故障と騒音を削減することができる。回転子パッケージ2の外コア24及び内コア23が絶縁緩衝ベルト25により連結され、永久磁石22が外コア24に取り付けられ、効果的に回転子パッケージによる軸電流及び電食を削減できる。
【符号の説明】
【００１６】
１・・・プラスチックパッキン固定子パッケージ
２・・・固定子パッケージ
３・・・フロントエンドカバー
４・・・リアエンドカバー
５・・・前軸受
６・・・後軸受
１１・・・プラスチックパッキン・シェル
１２・・・固定子コア
１３・・・固定子巻線
１４・・・キャビティ
２１・・・回転軸
２２・・・永久磁石
２３・・・内コア
２４・・・外コア
２５・・・絶縁緩衝ベルト
３１・・・前軸受室
４１・・・後軸受室
４２・・・絶縁層
【図１】
2016507210.tif 000003
【図２】
2016507210.tif 000004
【図３】
2016507210.tif 000005
【図４】
2016507210.tif 000006
【図５】
2016507210.tif 000007
【図６】
2016507210.tif 000008
【国際調査報告】
2016507210.tif 000009
2016507210.tif 000010
2016507210.tif 000011
2016507210.tif 000012